(57)【特許請求の範囲】
【請求項１】
両サイドフレーム間に一対の支持腕を設け、該支持腕に回転自在に支持部を設け、該支持部にてビームを回転自在に支持し、一方のサイドフレーム内に配設した駆動モーターによって回転制御される駆動軸と支持部、並びに支持部とビームの糸巻付軸の連結個所は、両サイドフレームとビームの円板との間に配設され、又両サイドフレーム間の空間は反ドラム機側に対して前方開放しているビーム機において、両サイドフレームの対向する側面より反ドラム機側に向かってビームの糸巻付軸と略同じ高さにてフレームを水平に延出し、該フレームの先端部に設けた回転駆動源に遮断アームの基端部を装着し、該遮断アームを垂直面内にて水平から垂直状態へと揺動制御すると共に、水平状態における遮断アームはビームの円板外周縁より前方に位置させたことを特徴とするビーム機における安全装置。
【請求項２】
水平状態における遮断アームの先端部間に所定間隔を具有させたことを特徴とする請求項１のビーム機における安全装置。
【発明の詳細な説明】
【０００１】
【産業上の利用分野】
本発明はビームの糸巻付軸と駆動源の回転軸との連結個所における安全性を確保する様にしたビーム機における安全装置に関するものである。
【０００２】
【従来の技術】
従来、ドラム機から引き出した経条をビームａの糸巻付軸ｂに巻付けるビーム機ｃとしては、両端に配設するサイドフレームｄ、ｅ間の開放空間下部に横架した支持軸ｆにて、ビームａを支持するための左右一対と成す支持腕ｇの下部が支持軸ｆの軸方向に移動自在に支持され、その上端部には支持孔ｈを有し、且つ径方向へ突出するアームｊを有する支持部ｋが回転自在に設けられ、又ビームａは糸巻付軸ｂの両側に円板ｍが設けられ、円板ｍより突出する糸巻付軸ｂの両端を前記支持孔ｈに挿入し、一方、サイドフレームｄ側の糸巻付軸ｂの一端外周に略Ω字状に形成された係合部材ｎを２体１組と成して装着し、該係合部材ｎの連結部位である径方向に突出する突起部ｐと係合するピンｑを前記アームｊに装着したものが知られている。
【０００３】
そして、運転状態としてはサイドフレームｄ内に内装する駆動源ｒに連結される回転軸ｓをクラッチｔを介して支持部ｋに連繋させてビームａを回転駆動させて経糸を糸巻付軸ｂに巻付けている。
【０００４】
この様にかかるドラム機ｃにあっては、ビームａの糸巻付軸ｂ、支持部ｋ等の連結個所ｘに突出部ｙを有すると共に、支持部ｋへの糸巻付軸ｂの装着、糸巻付時における糸サバキ等のため前方開放と成っていることにより、前記連結個所ｘの突出部ｙに作業者の衣服等がひっかかり、巻き込み事故が発生する危険性や、ビームａの円板ｍの外周縁に接して怪我をする危険性を有していた。
【０００５】
【発明が解決しようとする課題】
本発明はビームへの経糸巻き付け時におけるビームの連結個所による衣服の巻き込み事故を防止して作業時の安全性を確保し、又糸巻付軸に巻き付ける経糸を整列良くする糸サバキを何ら支承なくできる様にしたビーム機における安全装置を提供せんとするものである。
【０００６】
【課題を解決するための手段】
本発明は上記従来技術に基づく巻き込み事故等の課題に鑑み、両サイドフレームより反ドラム機側に延出したフレームの先端側に揺動制御される遮断アームを設け、該遮断アームによってビームと駆動モーターとの連結個所の開放空間の開放側を遮断することを要旨とするビーム機における安全装置を提供して上記欠点を解消せんとしたものである。
【０００７】
ビーム機における両サイドフレームの対向する側面より反ドラム機側に向かってビームの糸巻付軸と略同じ高さにてフレームを水平に延出し、該フレームの先端部に設けた回転駆動源に遮断アームの基端部を装着し、該遮断アームを垂直面内にて水平から垂直状態へと揺動制御すると共に、水平状態における遮断アームはビームの円板外周縁より前方に位置させると共に、水平状態における遮断アームの先端部間に所定間隔を具有させている。
【０００８】
【実施例】
以下本発明の一実施例を図面に基づいて説明すると、
１は本発明に係るビーム機であり、該ビーム機１は、円筒部２とテーパー円筒部３から成るドラム４を回転制御するドラム機５の側方に配設するものにして、該ドラム機５のドラム軸と平行に床面上に敷設されたレール６上を移動制御させながら、ドラム４の外周より引き出した経糸Ｗを巻付けるものである。
【０００９】
ビーム機１は両側に配設した箱形に形成されたサイドフレーム７、８を山形、溝形鋼等に形成された複数の連結綱材９にて連結し、サイドフレーム７、８間を開放空間とする本体１０を形成している。
【００１０】
又、サイドフレーム７の下部に車軸１１を回転自在に設け、該車軸１１の両端に車輪１２を設け、一方、サイドフレーム８の下部の両側に回転自在に車輪１３を設け、これらの車輪１２、１３をレール６上に転動自在に乗載し、レール６上を移動自在と成している。
【００１１】
１４は車輪１２を回転制御する駆動モーターであり、該駆動モーター１４はサイドフレーム７内に配設され、駆動モーター１４の駆動軸１４ａ  と車軸１１に固定されたスプロケット１５、１５ａ  間にチェーン１６を懸回している。
【００１２】
又、サイドフレーム７、８間における開放空間の反ドラム機側である前側の下部に案内軸１７を横架し、該案内軸１７の軸方向に移動自在に設けた一対の支持腕１８、１９によってビーム２０を回転自在に支持している。
【００１３】
又、支持腕１８、１９は夫々下端部の前側に形成された挿通孔１８ａ  、１９ａ  に案内軸１７が挿通され、且つ下端部の後端が連結綱材９上に載置され、軸方向の長さの異なる種々の大きさのビーム２０を支持し得る様に案内軸１７の軸方向に移動可能に設けている。
【００１４】
又、支持腕１８、１９の上端部には、支持孔２１、２１ａ  を有する支持部２２、２３が同軸上に回転自在に支持され、一方ビーム２０は糸巻付軸２４の両端側に円板２５、２５ａ  を固定しており、該円板２５、２５ａ  より突出する糸巻付軸２４の両端を支持孔２１、２１ａ  に挿入し、ビーム２０を回転自在に支持している。
【００１５】
又、支持腕１８における支持部２２に挿入する糸巻付軸２４の一端側の外周には略Ω状に形成された係合部材２６を２体一組と成して連結固定し、又糸巻付軸２４の一端側が挿入された支持部２２に径方向へ突出するアーム２７を固定すると共に、該アーム２７の先端側よりビーム２０側へ向かって係合ピン２８を突設し、該係合ピン２８と係合部材２６の連結部位である突起部２６ａ  とを支持部２２の回転時に当接可能と成してビーム２０を回転させている。
【００１６】
２９はビーム２０を回転制御する駆動装置であり、該駆動装置２９はサイドフレーム７内に配設するものにして、支持腕１８における支持部２２とクラッチ３０を介して連結する駆動軸３１を回転自在に支持すると共に、該駆動軸３１にはスプロケット３２を固定し、一方駆動モーター３３の回転軸３３ａ  に固定されたスプロケット３４との間にチエーン３５を懸回している。
【００１７】
尚、駆動軸３１は支持部２２が移動自在であるため、それに対応して伸張自在となしている。
【００１８】
３６、３６ａ  は安全装置であり、該安全装置３６、３６ａ  はサイドフレーム７、８の対向する側面７ａ、８ａ側に配設するものにして、サイドフレーム７、８の側面７ａ、８ａより反ドラム機側に向かってビーム２０の糸巻付軸２４と略同じ高さにてフレーム３７、３７ａ  を水平に延出し、該フレーム３７、３７ａ  の先端側に設けたモーター等の回転駆動源３８の回転駆動軸３８ａ  に、遮断アーム３９の基端部を固着し、該遮断アーム３９を垂直面内にて水平から垂直状態へと揺動制御している。
【００１９】
又、遮断アーム３９を水平状態と成した時に、該遮断アーム３９がビーム２０の円板２５、２５ａ  の外周縁に接触しない前方に位置する様に、フレーム３７、３７ａ  の延出寸法を設定すると共に、遮断アーム３９の長さについては、その先端部３９ａ  がビーム２０の円板２５、２５ａ  より互いに突出すると共に、先端部３９ａ  間に所定間隔を具有させる様に設定している。
【００２０】
又、フレーム３７、３７ａ  の対向する面には投光機４０、受光機４０ａ  から光電スイッチによって構成される光電式検出装置を配設している。
【００２１】
４２、４２ａ  …はサイドフレーム７、８間における開放空間のドラム機側の上方部に回転自在に横架された糸案内ロールであり、該糸案内ロール４２、４２ａ  …はビーム２０の糸巻付軸２４に平行に配設している。
【００２２】
尚、４３はオサであり、糸案内ロール４２、４２ａ  …よりさらにドラム機側の上方部に配設されたオサ支持枠４４の上面に取付けられている。
【００２３】
次に本発明に係るビーム機におけ安全装置の作用について説明すると、
先ず、ドラム機５のドラム４に巻き取られている所定バンド幅の多数本の経糸Ｗをビーム２０における糸巻付軸２４に結着し、又駆動装置２９における駆動モーター３３と支持腕１８における支持部２２をクラッチ３０にて連結すると共に、ビーム２０の糸巻付軸２４に装着した係合部材２６の突起部２６ａ  に、支持部２２のアーム２７より突出させた係合ピン２８を支持部２２の回転時に当接する様にした後、フレーム３７、３７ａ  の回転駆動源３８の回転駆動軸３８ａ  を回転制御し、遮断アーム３９を垂直状態から水平状態へと揺動させる。
【００２４】
この水平状態へと姿勢変更された遮断アーム３９によって、サイドフレーム７、８の側面７ａ、８ａとビーム２０の円板２５、２５ａ  間における連結個所Ｘの開放空間の反ドラム機側の開放側を遮断し、作業者の連結個所Ｘである開放空間内への立ち入りを規制できると共に、光電式検出装置における投光機４０と受光機４０ａ  を結ぶ検出ラインに作業者が接すると、かかる光電式検出装置によって危険を検知し、ビーム２０を回転制御する駆動モーター３３を制動制御する。
【００２５】
又、遮断アーム３９の先端部３９ａ  間は所定間隔を具有させていることにより、ビーム２０への経糸Ｗの巻き付け時の糸サバキを何ら支承なく行うことができる。
【００２６】
【発明の効果】
要するに本発明は、両サイドフレーム間に一対の支持腕を設け、該支持腕に回転自在に支持部を設け、該支持部にてビームを回転自在に支持し、一方のサイドフレーム内に配設した駆動モーターによって回転制御される駆動軸と支持部、並びに支持部とビームの糸巻付軸の連結個所は、両サイドフレームとビームの円板との間に配設され、又両サイドフレーム間の空間は反ドラム機側に対して前方開放しているビーム機において、両サイドフレーム７、８の対向する側面７ａ、８ａより反ドラム機側に向かってビーム２０の糸巻付軸２４と略同じ高さにてフレーム３７、３７ａ  を水平に延出し、該フレーム３７、３７ａ  の先端部に設けた回転駆動源３８に遮断アーム３９の基端部を装着し、該遮断アーム３９を垂直面内にて水平から垂直状態へと揺動制御すると共に、水平状態における遮断アーム３９はビーム２０の円板２５、２５ａ  外周縁より前方に位置させたので、両サイドフレーム７、８とビーム２０の円板２５、２５ａ  間の開放空間の反ドラム機側である開放側を遮断アーム３９にて遮断できるため、ビーム２０と駆動モーター３３との露出状態にして、且つ突起部位を有する連結個所Ｘへの作業者の立ち入りや、円板２５、２５ａ  外周縁に対する接触等を機械的若しくは視覚的に規制して連結個所Ｘでの衣服の巻き込み事故を防止して作業時の安全性を確保し、さらに水平状態の遮断アーム３９は糸巻付軸２４と略同じ高さであるため、連結個所Ｘとの隔離距離を最大限に設定できるため上記安全性が一層向上される。
【００２７】
又、水平状態における遮断アーム３９の先端部３９ａ  間に所定間隔を具有させたので、ビーム２０における円板２５、２５ａ  間の中間部分は遮断アーム３９が存在せずに前方開放されるため、糸巻付軸２４に巻き付ける経糸Ｗを整列良くする糸サバキが上記の様に安全性を確保した状態で何ら支承なくできる等その実用的効果甚だ大なるものである。
【図面の簡単な説明】
【図１】本発明に係るビーム機とドラム機の配置関係を示す概略平面図である。
【図２】同上ビーム機の概略正面図である。
【図３】図１のＡーＡ概略断面図である。
【図４】ビームの糸巻付軸と支持腕の支持部との連結個所の拡大斜視図である。
【図５】従来のビーム機の概略平面図である。
【図６】従来のビーム機の概略正面図である。
【符号の説明】
７        サイドフレーム
７ａ        側面
８        サイドフレーム
８ａ        側面
２０        ビーム
２４        糸巻付軸
２５、２５ａ    円板
３７、３７ａ    フレーム
３８        回転駆動源
３９        遮断アーム
３９ａ        先端部
【図１】
0003584068.tif 000002
【図２】
0003584068.tif 000003
【図３】
0003584068.tif 000004
【図４】
0003584068.tif 000005
【図５】
0003584068.tif 000006
【図６】
0003584068.tif 000007